(57)【要約】【課題】  本発明は農業体験をしたい人に自由に希望とする時期、場所、農作物の種類、農家、宿泊旅館、交通手段の選択が可能な体験者参加型の農業体験ツアーを提供することができる農業体験ツアーシステムを得るにある。【解決手段】  企画会社と農業体験を受け入れることができる農家とで農業体験ツアー者の農作業の受け入れに対する契約を行なう農業体験ツアー者の受け入れ契約と、企画会社と農家の近くの宿泊施設とで農業体験ツアー者の宿泊に対する契約を行なう宿泊契約と、企画会社と旅行会社とで農業体験ツアー者の移動手段およびツアーの実施に対する契約を行なう旅行契約と、企画会社あるいは旅行契約を行なった旅行会社がインターネットを介して農業体験ツアー者がどこの農家での農作業を行なう、およびどこの宿泊施設で宿泊をするかを設定して申し込むことができる農業体験ツアー情報とで農業体験ツアーシステムを構成している。【選択図】  図１
2007034780.tif 000002
【特許請求の範囲】
【請求項１】
企画会社と農業体験を受け入れることができる農家とで、農業体験ツアー者の農作業の受け入れに対する契約を行なう農業体験ツアー者の受け入れ契約と、前記企画会社と前記農業体験を受け入れることができる農家の近くの宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどこの農家での農作業を行なう、およびどこの宿泊施設で宿泊をするかを設定して申し込むことができる農業体験ツアー情報とからなることを特徴とする農業体験ツアーシステム。
【請求項２】
企画会社と農業体験を受け入れることができる、農作物の異なる複数個の農家とで、農業体験ツアー者の農作業の受け入れに対する契約を行なう農業体験ツアー者の受け入れ契約と、前記企画会社と前記農業体験を受け入れることができる農家の近くの宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどの農作物の農家での農作業を行なう、およびどこの宿泊施設で宿泊するかを設定して申し込むことができる農業体験ツアー情報とからなることを特徴とする農業体験ツアーシステム。
【請求項３】
企画会社と作付けおよび収穫の農業体験を受け入れることができる、農作物の異なる複数個の農家とで農業体験ツアー者の農作業の受け入れに対する契約を行なう農業体験ツアー者受け入れ契約と、前記企画会社と前記農業体験を受け入れることができる農家の近くの宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどこの農家での農作業を行なう、およびどこの宿泊施設で宿泊をするかを設定して申し込むことができる農業体験ツアー情報とからなることを特徴とする農業体験ツアーシステム。
【請求項４】
企画会社と農業体験を受け入れることができる特定地域の農家とで、農業体験ツアー者の農作業の受け入れに対する契約を行なう農業体験ツアー者の受け入れ契約と、前記企画会社と前記農業体験ツアー者を受け入れることができる農家と同じ特定地域の宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどこの農家での農作業を行なう、およびどこの宿泊施設で宿泊をするかを設定して申し込むことができる農業体験ツアー情報とからなることを特徴とする農業体験ツアーシステム。
【発明の詳細な説明】
【技術分野】
【０００１】
本発明は農業体験をしたい人に自由に希望とする時期、場所、農作物の種類、農家、宿泊旅館、交通手段の選択が可能な体験者参加型の農業体験ツアーを提供することができる農業体験ツアーシステムに関する。
【背景技術】
【０００２】
従来の農業体験ツアーは、農家からの一方的に提示された条件下で実施されており、必ずしも体験者が希望するものとは限らない内容で実施されているという欠点があった。
【特許文献１】特開２００２−１６３５４０
【発明の開示】
【発明が解決しようとする課題】
【０００３】
本発明は以上のような従来の欠点に鑑み、各種の農業体験を気軽に十分に体感することができるとともに、その疲れも自分の希望する宿泊施設でいやすことができるように、農業体験ツアーを実現することができる体験者参加型の農業体験ツアーシステムを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は企画会社と農業体験を受け入れることができる農家とで、農業体験ツアー者の農作業の受け入れに対する契約を行なう農業体験ツアー者の受け入れ契約と、前記企画会社と前記農業体験を受け入れることができる農家の近くの宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどこの農家での農作業を行なう、およびどこの宿泊施設で宿泊をするかを設定して申し込むことができる農業体験ツアー情報とで農業体験ツアーシステムを構成している。
【発明の効果】
【０００６】
以上の説明から明らかなように、本発明にあっては次に列挙する効果が得られる。
【０００７】
（１）企画会社と農業体験を受け入れることができる農家とで、農業体験ツアー者の農作業の受け入れに対する契約を行なう農業体験ツアー者の受け入れ契約と、前記企画会社と前記農業体験を受け入れることができる農家の近くの宿泊施設とで農業体験ツアー者の宿泊に対する契約を行なう宿泊契約と、前記企画会社と旅行会社とで農業体験ツアー者の移動手段の手配、あるいは農業体験ツアー者の移動手段およびツアーの実施に対する契約を行なう旅行契約と、前記企画会社あるいは前記旅行契約を行なった旅行会社がインターネットを介して、農業体験ツアー者がどこの農家での農作業を行なう、およびどこの宿泊施設で宿泊をするかを設定して申し込むことができる農業体験ツアー情報とで構成されているので、インターネットを介してどこの農家で農作業を行ない、どこの宿泊施設に宿泊するかを体験者が設定して、農業体験ツアーに参加することができる。
したがって、体験者が設定したプランでの農業体験ツアーとなり、納得のいく農業体験を行なうことができる。
【０００８】
（２）前記（１）によって、企画会社と農業体験を受け入れることができる農家や宿泊施設と契約をするため、一定範囲の農作業の体験と、宿泊を行なうことができる。
【０００９】
（３）前記（１）によって、特定地域の活性化を図るとともに、ニート対策にも寄与することができる。
【００１０】
（４）請求項２も前記（１）〜（３）と同様な効果が得られるとともに、体験者の選択できる農作物の農作業の幅が広がる。
【００１１】
（５）請求項３も前記（１）〜（３）と同様な効果が得られるとともに、作付けおよび収穫の農業体験をすることができる。
【発明を実施するための最良の形態】
【００１２】
以下、図面に示す本発明を実施するための最良の形態より、本発明を詳細に説明する。
【００１３】
図１ないし図５に示す本発明を実施するための最良の第１の形態において、１は本発明の農業体験ツアーシステムで、この農業体験ツアーシステム１は企画会社２と農業体験を受け入れることができる特定地域の、少なくとも１箇所以上の農家３とで農業体験ツアー者４の農作業の受け入れに対する契約を行なう農業体験ツアー者の受け入れ契約５と、前記企画会社２と前記農業体験を受け入れることができる農家３の近くの宿泊施設６とで農業体験ツアー者４の宿泊に対する契約を行なう宿泊契約７と、前記企画会社２と旅行会社８とで農業体験ツアー者４の移動手段の手配、あるいは農業体験ツアー者の移動手段およびツアーの実施に対する契約を行なう旅行契約９と、前記企画会社２あるいは前記旅行契約を行なった旅行会社８が、インターネット１０を介して農業体験ツアー者４のパソコン１１より、どこの農家３での農作業を行なうか、どこの宿泊施設６で宿泊するかを設定して申し込むことができる農業体験ツアー情報１２とで構成されている。
【００１４】
前記農業体験ツアー者の受け入れ契約５の契約は、作付けから収穫までの農作業の種類と、実施期間、農業体験ツアー者が作業した農作物の管理育成、対価、作付け状況の報告、収穫物の宅配等について、企画会社２と農家３とで行なう。
この時、自治体や農協等を仲介者として行なってもよい。
【００１５】
前記宿泊契約７は宿泊施設６に温泉や農作業の疲れをいやす施設がある所と、料理や料金等についての契約となり、ツアー集客を宿泊施設６が行う場合には、
ツアー集客について契約金や実施料について、企画会社２と宿泊施設６とで行なう。
この時、自治体や旅館組合等を仲介者として行なってもよい。
【００１６】
前記旅行契約９は企画会社２がツアーの募集を行なう場合には、旅行会社８は移動手段の手配についての契約となり、ツアーの募集を旅行会社８が行なう場合には移動手段の手配および、ツアーの募集について契約金や実施料について、企画会社２と旅行会社８とで行なう。
この時、自治体、農協、商工会議所等を仲介者として行なってもよい。
【００１７】
前記農業体験ツアー情報１２はインターネット１０を介することにより、農業体験ツアーを希望する人のパソコン１１に、農家の選択、農作業の種類の選択、期間の選択、宿泊施設の選択、交通手段の選択ができ、予約ができ、後日、見積もりがメールされるような表示になっている。
【００１８】
上記構成の農業体験ツアーシステム１によれば、農業体験ツアーを希望する人はパソコン１１でインターネット１０を介して農業体験ツアー情報１２を見て、農家、農作業、期間、宿泊施設、交通手段を選択設定し、メールアドレスを入力して予約を設定する。
この予約の設定により、見積もりや予約承認がメールされ、該メールに承諾することにより、農業体験ツアーが行なわれる。
[発明を実施するための異なる形態]
【００１９】
次に、図６ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図６ないし図８に示す本発明を実施するための第２の形態において、前記本発明を実施するための最良の第１の形態と主に異なる点は、農作物の異なる複数個の農家３、３Ａ、３Ｂ、３Ｃと企画会社２とで農業体験ツアー者の受け入れ契約５Ａを行なった点で、このような農業体験ツアー者の受け入れ契約５Ａを用いて構成した農業体験ツアーシステム１Ａにしても、前記本発明を実施するための最良の第１の形態と同様な作用効果が得られるとともに、農業体験したい人は自分がしてみたい農作物の農作業を選択することができる。
【００２１】
図９ないし図１１に示す本発明を実施するための第３の形態において、前記本発明を実施するための第２の形態と主に異なる点は、農業体験した農作物の収穫分を農業体験ツアー者の希望により宅配できる内容も入れた農業体験ツアー者の受入れ契約５Ｂを行なった点で、このような農業体験ツアー者の受入れ契約５Ｂを用いて構成した農業体験ツアーシステム１Ｂにしても、前記本発明を実施するための第２の形態と同様な作用効果が得られるとともに、農業体験ツアー者４が希望すれば農業体験した農作物の宅配を受けることができる。
【００２２】
なお、作付けの農作業を体験した農業体験ツアー者４には随時、対象農作物の育成状態をメール等で報告するようにしてもよい。
【産業上の利用可能性】
【００２３】
本発明は農業や宿泊施設、旅行業等のサービス産業で利用される。
【図面の簡単な説明】
【００２４】
【図１】本発明を実施するための最良の第１の形態の概念図。
【図２】本発明を実施するための最良の第１の形態の農業体験ツアー情報の説明図。
【図３】本発明を実施するための最良の第１の形態の予約の説明図。
【図４】本発明を実施するための最良の第１の形態の承認の説明図。
【図５】本発明を実施するための最良の第１の形態の承諾の説明図。
【図６】本発明を実施するための第２の形態の概念図。
【図７】本発明を実施するための第２の形態の農業体験ツアー情報の説明図。
【図８】本発明を実施するための第２の形態の予約の説明図。
【図９】本発明を実施するための第３の形態の概念図。
【図１０】本発明を実施するための第３の形態の農業体験ツアー情報の説明図。
【図１１】本発明を実施するための第３の形態の予約の説明図。
【符号の説明】
【００２５】
１、１Ａ、１Ｂ：農業体験ツアーシステム、
２：企画会社、                ３：農家、
４：農業体験ツアー者、
５、５Ａ、５Ｂ：農業体験ツアー者の受入れ契約、
６：宿泊施設、                ７：宿泊契約、
８：旅行会社、                ９：旅行契約、
１０：インターネット、        １１：パソコン、
１２：農業体験ツアー情報。
【図１】
2007034780.tif 000003
【図２】
2007034780.tif 000004
【図３】
2007034780.tif 000005
【図４】
2007034780.tif 000006
【図５】
2007034780.tif 000007
【図６】
2007034780.tif 000008
【図７】
2007034780.tif 000009
【図８】
2007034780.tif 000010
【図９】
2007034780.tif 000011
【図１０】
2007034780.tif 000012
【図１１】
2007034780.tif 000013